(57)【要約】【課題】  従来の餌撒き籠では、撤き餌籠から大量の餌が撒き散らされて水底又は海底が汚染されるという問題がある。【解決手段】  集魚灯６の側面にカラー発光ダイオード７が全体に装着され、集魚灯６内に装着された切り替え回路８にカラー発光ダイオード７が接続され、集魚灯６の上にコード１０を介して監視装置１１が接続され、監視装置１１に超音波振動子１２と、超音波振動子１２に発振出力を印加し、超音波振動子１２からの反射信号を受信する送受信回路１３及び電源１４が装着され、コード１５を介して水面１６に浮くようにされた浮き１７に集魚灯６と監視装置１１が接続され、浮き１７に無線変換回路１８、送受信回路１９及びアンテナ２０が装着され、陸地又は船等に置かれた遠方監視装置２１にアンテナ２２、送受信回路２３、無線変換回路２４、モニタ２５及び信号入力装置２６が装着されている。【選択図】図１
2006230364.tif 000002
【特許請求の範囲】
【請求項１】
モニタを内蔵し、アンテナを装着した遠方監視装置と、該監視装置が離れた位置に置かれ、アンテナを装着し、送信回路及び無線変換回路を内蔵する浮きと、該浮きに長尺のコードによって連結され、送受信回路、電源、発振器及び超音波振動子を内蔵する監視装置と、該監視装置にコードによって連結され、切り替え回路及び多数のカラー発光ダイオードを内蔵する集魚灯とからなり、前記集魚灯に集まる魚群を前記超音波振動子からの超音波の受信により前記遠方監視装置のモニターで監視することを特徴とする魚群監視装置。
【請求項２】
前記遠方監視装置に内蔵した信号入力装置で、前記集魚灯で発光するカラー発光ダイオードの色を特定して発光するように構成することを特徴とする請求項１記載の魚群監視装置。
【発明の詳細な説明】
【技術分野】
【０００１】
本発明は、多数のカラー発光ダイオードを装着した集魚灯から発光される色で集まる魚群を監視する魚群監視装置に関するものである。
【背景技術】
【０００２】
従来、釣りをするときに、魚を集めるために、図３に示すように、釣り竿に接続されるテグスを接続する連結具２を円筒体１の上面に固着し、円筒体１の側面の餌いれ口３に網状の蓋４を装着し、円筒体１の餌いれ口３から餌をいれて網状の蓋４で閉じるようにした餌撒き籠５が提案されている。
【０００３】
しかしながら、このように構成された従来の餌撒き籠５は、魚がいない状態でも、大量の餌が撒き散らされ、又、魚が食べる量よりも大量の餌が撒き散らされるために、海底が非常に汚染されるという問題がある。
【特許文献１】特願２０００−２７９０８０
【発明の開示】
【発明が解決しようとする課題】
【０００４】
解決しようとする問題点は、従来の餌撒き籠では、撤き餌籠から大量の餌が撒き散らされて水底又は海底が汚染されるという問題がある。
【課題を解決するための手段】
【０００５】
本発明では、遠方監視装置はモニタを内蔵してアンテナが装着され、浮きは監視装置から離れた位置に置かれ、アンテナを装着し、送信回路及び無線変換回路を内蔵し、監視装置は浮きに長尺のコードによって連結され、送受信回路、電源、発振器及び超音波振動子が内蔵され、集魚灯は監視装置にコードによって連結され、切り替え回路及び多数のカラー発光ダイオードを内蔵してなり、集魚灯に集まる魚群を前記超音波振動子からの超音波の受信により遠方監視装置のモニターで監視するものである。
【発明の効果】
【０００６】
本発明の魚群監視装置では、集魚灯本体の側面の一部又はほぼ全体にカラー発光ダイオードを装着して、水中又は海中で点灯することにより、カラー発光ダイオードの周囲に魚が集まり、これらの魚を集魚灯の下に装着した釣り針に餌を付けて釣るか、又は他の釣り竿に付けた釣り針に餌を付けて釣るようにするので、撤き餌を必要とせず、従って、水中又は海中が汚染されることがないという利点があり、この集魚灯に集まる魚群を監視装置に装着した超音波振動子からの超音波によって監視することにより、魚群が集まる状態を監視することができ、又、集魚灯で発光させるカラーの色を限定して点灯することにより、どの色に魚群がより多く集まるかを監視することができるという利点がある。
【発明を実施するための最良の形態】
【０００７】
本発明では、集魚灯に多数のカラー発光ダイオードを装着して、魚群が集まり易い色を監視装置の超音波振動子からの超音波の送受信によって検出することができた。
【実施例】
【０００８】
図１は本発明の実施例の魚群監視装置の構成図、図２は集魚灯監視装置のブロック図で、集魚灯６の側面に１列に複数個の異なった色のカラー発光ダイオード７を設けた列が多数集魚灯６全体に装着され、集魚灯６内に装着された切り替え回路８にカラー発光ダイオード７が接続され、集魚灯６の下部に釣り針９が装着され、集魚灯６の上にコード１０を介して監視装置１１が接続され、又、監視装置１１に超音波振動子１２と、超音波振動子１２に発振出力を印加し、超音波振動子１２からの反射信号を受信する送受信回路１３及び電源１４が装着され、コード１５を介して水面１６に浮くようにされた浮き１７に集魚灯６と監視装置１１が接続され、浮き１７に無線変換回路１８、送受信回路１９及びアンテナ２０が装着され、又、陸地又は船等に置かれた遠方監視装置２１にアンテナ２２、送受信回路２３、無線変換回路２４、モニタ２５及び信号入力装置２６が装着されている。
【０００９】
このように構成された本実施例の魚群監視装置では、釣竿に接続されたテグスに浮き１７を接続して、予め集魚灯６で発光するカラー発光ダイオード７で発光する色を選択して、全ての装置の差動状態にして、水中に集魚灯６及び監視装置１１を投げ入れ、遠方監視装置２１のモニタ２５を見ながら魚群が集まる様子を監視装置１１の超音波振動子１２から発生する超音波を集魚灯６の周囲に照射し、そのは反射波を超音波振動子１２で受信して、この信号を送受信回路１３から浮き１７の無線変換装置１８に送信し、無線変換回路１８で無線信号に変換して送受信回路１９からアンテナ２０によって遠方監視装置２１に送信して監視し、もし、最初に設定したカラー発光ダイオード７の発光色で魚群が集まらなければ、遠方監視装置２１の信号入力装置２６から信号を入力して、無線変換回路２４で無線信号に変換して送受信回路２３からアンテナ２２を介して浮き１７のアンテナ２０に送信し、アンテナ２０から送受信から１９で受信して、無線変換回路２４で切り替え信号に変換し、集魚灯６の切り替え回路８に送信して、集魚灯６の切り替え回路８でカラー発光ダイオード７の発光色を変更し、又、監視装置１１の超音波振動子１２からの超音波で検出し、魚群の集まる状態を遠方監視装置２１のモニタ２５で監視することにより、魚群がよく集まる発光色にカラー発光ダイオード７を切り替え装置８で設定し、魚群が集まった時に、集魚灯６の下に付けた釣り針９で魚を釣るか、他の釣竿に針及び餌を付けて釣るようにする。
【００１０】
このように構成された本実施例の魚群監視装置では、集魚灯６のカラー発光ダイオード７からの発光色を適宜設定して、監視装置１１の超音波で魚群の集まる状態を監視することにより、カラー発光ダイオード７の発光色をどの色にすれば、魚群がよく集まるかを監視することができる。
【産業上の利用可能性】
【００１１】
なお、上記実施例では、集魚灯６の上にコード１０を介して監視装置１１に接続するようにしているが、集魚灯６の切り替え回路８をコード１０を介して直接浮き１７の無線変換回路１８に接続し、又、監視装置１１の送受信回路１３をコード１５を介して浮き１７の無線変換回路１８に接続し、監視装置１１の超音波振動子１２からの超音波を集魚灯６の側方から照射するようにしてもよい。
【図面の簡単な説明】
【００１２】
【図１】本発明の実施例の魚群監視装置の構成図である。
【図２】図１の魚群監視装置のブロック図である。
【図３】従来の撤き餌籠の斜視図である。
【符号の説明】
【００１３】
６                集魚灯本体
７                カラー発光ダイオード
８                切り替え回路
９                釣り針
１０              コード
１１              監視装置
１２              超音波振動子
１３              送受信回路
１４              電源
１５              コード
１６              水面
１７              浮き
１８              無線変換回路
１９              送受信回路
２０              アンテナ
２１              遠方監視装置
２２              アンテナ
２３              送受信回路
２４              無線変換回路
２５              モニタ
２６              信号入力装置
【図１】
2006230364.tif 000003
【図２】
2006230364.tif 000004
【図３】
2006230364.tif 000005